(57)【要約】【課題】同一の着信メロディを複数の発信者に割当てた場合でも着信の有った発信者を識別することを可能とする。【解決手段】着信メロディ用楽曲データを登録する登録手段（１０６、１００）と、登録手段により登録された着信メロディ用楽曲データを記憶する記憶手段（１０５）と、楽曲を再生する楽曲再生手段（１１６）と、発光表示部（１１０）と、バイブレータ（１０８）と、着信時に記憶手段より着信メロディ用楽曲データを読み出し、着信メロディ用楽曲データのうち楽曲シーケンスデータに基づいて楽曲再生手段を駆動し、楽曲を再生させ、かつ着信メロディ用楽曲データに含まれる連動パターンデータに基づいて発光表示部及びバイブレータの少なくとも一方を楽曲の再生に連動させて駆動するように制御する制御手段（１００）とを有する。【選択図】　　　図１
2004064550.tif 000002
【特許請求の範囲】
【請求項１】
複数チャンネルで構成される楽曲シーケンスデータと、所定のチャンネルに発光表示部駆動及びバイブレータ駆動の少なくとも一方を連動させることを示す複数の連動パターンデータとを含む着信メロディ用楽曲データに基づいて楽曲を再生し、かつ発光表示部駆動及びバイブレータ駆動の少なくとも一方を楽曲の再生に連動させることにより着信を報知する着信通知方法であって、
所望の着信メロディ用楽曲データの選択を促す第１のステップと、
前記第１のステップで選択した楽曲データ中の複数の連動パターンデータのいずれかの選択を促す第２のステップと、
前記第１、第２のステップで選択された楽曲データ及び連動パターンデータの選択情報を記憶手段に記憶する第３のステップと、
を有することを特徴とする着信通知方法。
【請求項２】
複数チャンネルで構成される楽曲シーケンスデータと、所定のチャンネルに発光表示部駆動及びバイブレータ駆動の少なくとも一方を連動させることを示す複数の連動パターンデータと、上記複数の連動パターンデータのいずれかを選択するユーザ操作を支援するための連動パターン選択用表示データとを含む着信メロディ用楽曲データに基づいて楽曲を再生し、かつ発光表示部駆動及びバイブレータ駆動の少なくとも一方を楽曲の再生に連動させることにより着信を報知する着信通知方法であって、
所望の着信メロディ用楽曲データの選択を促す第１のステップと、
前記第１のステップで選択した楽曲データ中の連動パターン選択用表示データに基づく表示をして複数の連動パターンデータのいずれかの選択を促す第２のステップと、
前記第１、第２のステップで選択された楽曲データ及び連動パターンデータの選択情報を前記記憶手段に記憶する第３のステップと、
を有することを特徴とする着信通知方法。
【請求項３】
複数チャンネルで構成される楽曲シーケンスデータと、所定のチャンネルに発光表示部駆動及びバイブレータ駆動の少なくとも一方を連動させることを示す複数の連動パターンデータとを含む着信メロディ用楽曲データに基づいて楽曲を再生し、かつ発光表示部駆動及びバイブレータ駆動の少なくとも一方を楽曲の再生に連動させることにより着信を報知する着信通知方法であって、
所望の着信メロディ用楽曲データの選択を促す第１のステップと、
前記第１のステップで選択した楽曲データ中の複数の連動パターンデータのいずれかの選択を促す第２のステップと、
発信者の選択を促す第３のステップと、
前記第１、第２のステップで選択された楽曲データ及び連動パターンデータの選択情報を前記第３のステップで選択された発信者に対応させて記憶手段に記憶する第４のステップと、
を有することを特徴とする着信通知方法。
【請求項４】
複数チャンネルで構成される楽曲シーケンスデータと、所定のチャンネルに発光素子駆動及びバイブレータ駆動の少なくとも一方を連動させることを示す複数の連動パターンデータのうちのいずれかの連動パターンデータとを含む着信メロディ用楽曲データを登録する登録手段と、
前記登録手段により登録された着信メロディ用楽曲データの登録情報を記憶する記憶手段と、
楽曲を再生する楽曲再生手段と、
発光表示部と、
バイブレータと、
着信時に前記記憶手段より着信メロディ用楽曲データを読み出し、着信メロディ用楽曲データのうち前記楽曲シーケンスデータに基づいて前記楽曲再生手段を駆動し、楽曲を再生させ、かつ前記着信メロディ用楽曲データに含まれる連動パターンデータに基づいて前記発光表示部及びバイブレータの少なくとも一方を連動させて駆動するように制御する制御手段と、
を有することを特徴とする携帯端末装置。
【請求項５】
複数チャンネルで構成される楽曲シーケンスデータと、所定のチャンネルに発光表示部駆動及びバイブレータ駆動の少なくとも一方を連動させることを示す複数の連動パターンデータのうちのいずれかの連動パターンデータとを含む着信メロディ用楽曲データ及びユーザにより選択された発信者を示すデータを登録する登録手段と、
前記登録手段により登録された楽曲シーケンスデータ及び連動パターンデータの登録情報を発信者に対応付けて記憶する記憶手段と、
楽曲を再生する楽曲再生手段と、
発光表示部と、
バイブレータと、
着信時に前記記憶手段より発信者に対応する着信メロディ用楽曲データを読み出し、着信メロディ用楽曲データのうち前記楽曲シーケンスデータに基づいて前記楽曲再生手段を駆動し、楽曲を再生させ、かつ前記着信メロディ用楽曲データに含まれる連動パターンデータに基づいて前記発光表示部及びバイブレータの少なくとも一方を連動させて駆動するように制御する制御手段と、
を有することを特徴とする携帯端末装置。
【請求項６】
さらに、前記着信メロディ用楽曲データを選択するための案内情報を表示する表示手段を有し、
前記着信メロディ用楽曲データは、前記複数の連動パターンのいずれかを選択するユーザの操作を支援するための連動パターン選択用表示データを含み、
前記制御手段は、前記連動パターン選択表示用データに基づく表示内容を前記表示手段に表示させることを特徴とする請求項４または５のいずれかに記載の携帯端末装置。
【発明の詳細な説明】
【０００１】
【発明の属する技術分野】
本発明は、着信通知方法およびこの着信通知方法を実施するための携帯端末装置に関する。
【０００２】
【従来の技術】
着信を、楽曲（着信メロディ）を再生することにより報知する従来の携帯電話に代表される携帯端末装置にあっては、ユーザは、着信相手毎に着信メロディを選択することができるように構成されていた。
【０００３】
【発明が解決しようとする課題】
しかしながら、従来の携帯端末装置では、携帯端末装置内のメモリに格納されている着信メロディの種類に対して発信者の電話番号に１対１に割当てた場合には、その発信者の識別ができたが、同一の着信メロディを複数の発信者に対して割当てた場合には、その複数の発信者のうち誰から着信が有ったのかが識別できないという問題が有った。
【０００４】
本発明はこのような事情に鑑みてなされたものであり、同一の着信メロディについて複数の発信者について割当てた場合についても着信の有った発信者を識別することができる着信通知方法及び携帯端末装置を提供することを目的とする。
【０００５】
【課題を解決するための手段】
上記目的を達成するために、請求項１に記載の発明は、複数チャンネルで構成される楽曲シーケンスデータと、所定のチャンネルに発光表示部駆動及びバイブレータ駆動の少なくとも一方を連動させることを示す複数の連動パターンデータとを含む着信メロディ用楽曲データに基づいて楽曲を再生し、かつ発光表示部駆動及びバイブレータ駆動の少なくとも一方を楽曲の再生に連動させることにより着信を報知する着信通知方法であって、所望の着信メロディ用楽曲データの選択を促す第１のステップと、前記第１のステップで選択した楽曲データ中の複数の連動パターンデータのいずれかの選択を促す第２のステップと、前記第１、第２のステップで選択された楽曲データ及び連動パターンデータの選択情報を記憶手段に記憶する第３のステップとを有することを特徴とする。
【０００６】
また、請求項２に記載の発明は、複数チャンネルで構成される楽曲シーケンスデータと、所定のチャンネルに発光表示部駆動及びバイブレータ駆動の少なくとも一方を連動させることを示す複数の連動パターンデータと、上記複数の連動パターンデータのいずれかを選択するユーザ操作を支援するための連動パターン選択用表示データとを含む着信メロディ用楽曲データに基づいて楽曲を再生し、かつ発光表示部駆動及びバイブレータ駆動の少なくとも一方を楽曲の再生に連動させることにより着信を報知する着信通知方法であって、所望の着信メロディ用楽曲データの選択を促す第１のステップと、前記第１のステップで選択した楽曲データ中の連動パターン選択用表示データに基づく表示をして複数の連動パターンデータのいずれかの選択を促す第２のステップと、前記第１、第２のステップで選択された楽曲データ及び連動パターンデータの選択情報を前記記憶手段に記憶する第３のステップとを有することを特徴とする。
【０００７】
また、請求項３に記載の発明は、複数チャンネルで構成される楽曲シーケンスデータと、所定のチャンネルに発光表示部駆動及びバイブレータ駆動の少なくとも一方を連動させることを示す複数の連動パターンデータとを含む着信メロディ用楽曲データに基づいて楽曲を再生し、かつ発光表示部駆動及びバイブレータ駆動の少なくとも一方を楽曲の再生に連動させることにより着信を報知する着信通知方法であって、所望の着信メロディ用楽曲データの選択を促す第１のステップと、前記第１のステップで選択した楽曲データ中の複数の連動パターンデータのいずれかの選択を促す第２のステップと、発信者の選択を促す第３のステップと、前記第１、第２のステップで選択された楽曲データ及び連動パターンデータの選択情報を前記第３のステップで選択された発信者に対応させて記憶手段に記憶する第４のステップとを有することを特徴とする。
【０００８】
また、請求項４に記載の発明は、複数チャンネルで構成される楽曲シーケンスデータと、所定のチャンネルに発光素子駆動及びバイブレータ駆動の少なくとも一方を連動させることを示す複数の連動パターンデータのうちのいずれかの連動パターンデータとを含む着信メロディ用楽曲データを登録する登録手段と、前記登録手段により登録された着信メロディ用楽曲データの登録情報を記憶する記憶手段と、楽曲を再生する楽曲再生手段と、発光表示部と、バイブレータと、着信時に前記記憶手段より着信メロディ用楽曲データを読み出し、着信メロディ用楽曲データのうち前記楽曲シーケンスデータに基づいて前記楽曲再生手段を駆動し、楽曲を再生させ、かつ前記着信メロディ用楽曲データに含まれる連動パターンデータに基づいて前記発光表示部及びバイブレータの少なくとも一方を連動させて駆動するように制御する制御手段とを有することを特徴とする。
【０００９】
また、請求項５に記載の発明は、複数チャンネルで構成される楽曲シーケンスデータと、所定のチャンネルに発光表示部駆動及びバイブレータ駆動の少なくとも一方を連動させることを示す複数の連動パターンデータのうちのいずれかの連動パターンデータとを含む着信メロディ用楽曲データ及びユーザにより選択された発信者を示すデータを登録する登録手段と、前記登録手段により登録された楽曲シーケンスデータ及び連動パターンデータの登録情報を発信者に対応付けて記憶する記憶手段と、楽曲を再生する楽曲再生手段と、発光表示部と、バイブレータと、着信時に前記記憶手段より発信者に対応する着信メロディ用楽曲データを読み出し、着信メロディ用楽曲データのうち前記楽曲シーケンスデータに基づいて前記楽曲再生手段を駆動し、楽曲を再生させ、かつ前記着信メロディ用楽曲データに含まれる連動パターンデータに基づいて前記発光表示部及びバイブレータの少なくとも一方を連動させて駆動するように制御する制御手段とを有することを特徴とする。
【００１０】
また、請求項６に記載の発明は、請求項４または５のいずれかに記載の携帯端末装置において、さらに、前記着信メロディ用楽曲データを選択するための案内情報を表示する表示手段を有し、前記着信メロディ用楽曲データは、前記複数の連動パターンのいずれかを選択するユーザの操作を支援するための連動パターン選択用表示データを含み、前記制御手段は、前記連動パターン選択表示用データに基づく表示内容を前記表示手段に表示させることを特徴とする。
【００１１】
【発明の実施の形態】
以下、本発明の実施形態を、図面を参照して詳細に説明する。本発明の実施形態に係る携帯端末装置の電気的構成を図１に示す。
本実施形態に係る携帯端末装置は、複数チャンネルで構成される楽曲シーケンスデータと、所定のチャンネルに発光表示部駆動及びバイブレータ駆動の少なくとも一方を連動させることを示す複数の連動パターンデータとを含む着信メロディ用楽曲データに基づいて楽曲を再生し、かつ発光表示部駆動及びバイブレータ駆動の少なくとも一方を楽曲の再生に連動させることにより着信を報知する着信通知方法を実施する機能を有する。
【００１２】
図１において、携帯端末装置１は、各種プログラムを実行することにより電話機、あるいは、ゲーム機、音楽再生機等としての機能を有するように各部の動作を制御するＣＰＵ１００と、各種プログラム及び固定データが格納されるＲＯＭ１０２と、ＲＡＭ１０４と、電話帳メモリ１０５と、操作入力部１０６と、バイブレータ１０８と、発光表示部１１０と、無線通信部１１２と、音声コーデック（ＣＯＤＥＣ）１１４と、楽曲再生部１１６と、表示部１１８と、インターフェース（Ｉ／Ｆ）１２０と、マイク１２２と、受話用スピーカ１２４と、着信用スピーカ１２６とを有している。
【００１３】
ＲＯＭ１０２には、各種プログラムの他に、着信メロディ用の楽曲シーケンスデータを含む着信メロディ用楽曲データ等の固定データや、ゲームソフト等のアプリケーションプログラムが記憶されている。
また、ＲＡＭ１０４には、インターネット等のネットワークを介してダウンロードした各種データ、またはインターフェース１２０を介して外部のオーディオ機器から取り込んだ楽曲データが格納されるようになっている。
【００１４】
電話帳メモリ１０５は、図３に示すように、発信者の氏名と、電話番号、及び着信メロディの楽曲名、後述する連動パターンデータ等のデータを登録するためのメモリである。電話帳メモリ１０５は本発明の記憶手段に相当する。
操作入力部１０６は、通話を開始する際に使用する開始キー、通話を終了する終了キー、数字キー、各種機能キー、電源キー等から構成されている。
操作入力部１０６及びＣＰＵ１００は本発明の登録手段に相当する。また、ＣＰＵ１００は、本発明の制御手段に相当する。
発光表示部１１０は、単一または複数の発光素子（ＬＥＤ）からなり、ＣＰＵ１００の制御下に着信メロディの再生に連動して点滅するように発光表示を行う。
【００１５】
無線通信部１１２は、アンテナ２０を介して受信する信号を復調し、外部に送信する信号を変調してアンテナ２０を介して送信する。
音声ＣＯＤＥＣ　１１４は、無線通信部１１２から受け取った音声信号を復号して受話用スピーカに１２４に出力し、マイク１２２から入力された音声信号を圧縮符号化して無線通信部２０に送出する。
【００１６】
楽曲再生部１１６は、着信時に着信を報知する着信メロディとしての楽曲を再生して着信用スピーカ１２６に出力し、あるいはＲＯＭ１０２またはＲＡＭ１０４に格納された楽曲データに基づいて楽曲を再生する。楽曲再生部１１６は本発明の楽曲再生手段に相当する。
【００１７】
表示部１１８は、各種データを表示する、液晶ディスプレイ（ＬＣＤ）である。表示部１１８は本発明の表示手段に相当する。
インターフェース（Ｉ／Ｆ）１２０の入力端は、図示してない入力端子に接続されており、該入力端子を介して外部のオーディオ機器と接続して所望の楽曲データをＲＡＭ１０４に格納することができるようになっている。
【００１８】
ＣＰＵ１００、ＲＯＭ１０２、ＲＡＭ１０４、操作入力部１０６、バイブレータ１０８、発光表示部１１０、無線通信部１１２、音声ＣＯＤＥＣ１１４、楽曲再生部１１６、表示部１１８及びインターフェース（Ｉ／Ｆ）１２０は、バス９０を介して相互に接続されている。
【００１９】
ＲＯＭ１０２に格納されている各楽曲の着信メロディ用楽曲データの構成例を図２に示す。同図に示すように、着信メロディ用楽曲データは、基本データＤ１と、連動パターン表示用データＤ２と、連動パターン組合せ情報（本発明の連動パターンデータに相当する）Ｄ３と、シーケンスデータ（本発明の楽曲シーケンスデータに相当する）Ｄ４とから構成されている。
基本データＤ１は、楽曲タイトル、ジャンル、アーティスト名、チャンネル属性等のデータからなる。
【００２０】
また、連動パターン表示用データＤ２は、表示部１１８に連動パターン組合せ情報Ｄ３を表示して画面上で連動パターン組合せ情報Ｄ３のいずれかを選択することができるように、操作入力部１０６によるユーザ操作を支援するためのデータである。
連動パターン組合せ情報Ｄ３は、楽曲シーケンスデータにおける所定のチャンネルに発光表示部駆動及びバイブレータ駆動の少なくとも一方を連動させることを示すデータである。連動パターン組合せ情報Ｄ３は、パターン１、パターン２、…、というようにパターンナンバで特定できるようなっている。
【００２１】
シーケンスデータＤ４は、テンポデータ、音色データ、音色割当データ、多チャンネルシーケンスデータからなる。また、多チャンネルシーケンスデータは、複数チャンネル分のデータからなる。
上記構成からなる携帯端末装置の着信メロディの設定処理である着信設定処理の内容を図５に示すフローチャートを参照して説明する。同図において、着信メロディ用楽曲データ（以下、着信メロディデータと略す。）が選択されたか否かが選択される（ステップ２００）。
【００２２】
次いで、ステップ２００で選択された着信メロディデータ中の連動パターンデータ、チャンネル属性データ及び連動パターン表示用データに基づき、図４に示す連動パターン選択画面を表示部１１８に表示する（ステップ２０１）。なお、図４及び図６のフローチャートにおいて、ＬＥＤとあるのは発光表示部１１０を指すものとする。図４において、着メロ：ＡＢＣＤにおける「ＡＢＣＤ」は一つの楽曲の曲名を示し、パターン１、パターン２、…は、それぞれ、連動パターンデータを示している。
【００２３】
例えば、パターン１で示される連動パターンデータは、バイブレータ１０８はベース（例えば、チャンネル４のシーケンスデータ）に同期して振動し、ＬＥＤ、すなわち発光表示部１１０は、メロディ（例えば、チャンネル１のシーケンスデータ）に同期して点滅する（ように着信メロディに連動する）ことを意味している。
次いで、連動パターンデータが選択されたか否かが判定され（ステップ２０２）、連動パターンデータが、ユーザが操作入力部１０を操作することにより選択されると、ステップ２００で選択された着信メロディの名称、及びステップ２０２で選択された連動パターンのパターンナンバをＲＡＭ１０４の所定のエリアに一時的に格納する（ステップ２０３）。
【００２４】
次いで、発信者（通話相手）を選択するか否かが判定される（ステップ２０４）。ステップ２０４の判定が肯定された場合には、電話帳メモリ１０５における上記選択された発信者に対応するエリアに、ステップ２０３でＲＡＭ１０４に格納されたデータを格納する（ステップ２０５）。
また、ステップ２０４の判定が否定された場合には、不特定の発信者からの着信を対象とする「一般着信」に対応するＲＡＭ１０４のエリアにステップ２０３で一時的に格納されたデータを格納する（ステップ２０６）。
【００２５】
次に、本実施形態に係る携帯端末装置１の着信処理について図６及び図７のフローチャートを参照して説明する。これらの図において、着信が発生すると、着信データを、無線通信部１１２を介して受信する（ステップ３００）。
次いで受信した着信データより発信者の電話番号が電話帳メモリ１０５に有るか否かが判定される（ステップ３０１）。ステップ３０１の判定が肯定された場合には、電話帳メモリ１０５の内容を参照し、発信者に対応して登録されている着信メロディデータを特定する（ステップ３０２）。
【００２６】
さらに、電話帳メモリ１０５を参照し、発信者に対応した連動パターンデータを示すパターンナンバを特定し、着信メロディデータ中の対応する連動パターンデータを読み出す（ステップ３０３）。ここで、連動パターンデータが、発光表示部（ＬＥＤ）１１０をシーケンスデータのチャンネルｘに同期させ、バイブレータ１０８をシーケンスデータのチャンネルｙに同期させて駆動するように指定されているものとする。
【００２７】
次に、ステップ３０１の判定が否定された場合には、ＲＡＭ１０４に「一般着信」として格納されている着信メロディデータを特定し（ステップ３０４）、「一般着信」として設定された連動パターンデータを示すパターンナンバに基づき、着信メロディデータ中の対応する連動パターンデータを読み出す（ステップ３０５）。ここで、連動パターンデータが、発光表示部（ＬＥＤ）１１０を楽曲シーケンスデータのチャンネルｘに同期させ、バイブレータ１０８を楽曲シーケンスデータのチャンネルｙに同期させて駆動するように指定されているものとする。
【００２８】
次いで、楽曲再生部１１６は、ＣＰＵ１００の制御下に、ステップ３０２、またはステップ３０４で特定された着信メロディデータ中のシーケンスデータを順次、読み込んで再生する（ステップ３０６）。
さらに、ステップ３０７では、上記シーケンスデータにおけるチャンネルｘのキーオンのタイミングになったか否かが判定される（ステップ３０７）。ステップ３０７の判定が肯定された場合には、発光表示部１１０が駆動され、発光素子がチャンネルｘのシーケンスデータに同期して点滅するように駆動制御される。
【００２９】
ステップ３０８で発光表示部１１０が駆動された後、またはステップ３０７の判定が否定された場合には、ステップ３０９に移行し、ステップ３０９で上記シーケンスデータにおけるチャンネルｙのキーオンのタイミングになったか否かが判定される。ステップ３０９の判定が肯定された場合には、バイブレータ１０８がチャンネルｙのシーケンスデータに同期して振動するように駆動制御される（ステップ３１０）。
【００３０】
次いで、楽曲再生部１１６内の音源が駆動され、楽曲がスピーカ１２６より放音される（ステップ３１１）。さらに、ステップ３１２では、オフフックされたか否かが判定され（ステップ３１２）、オフフックされていない場合にはステップ３０６に処理が戻る。
ステップ３１２でオフフックされていると判定された場合には、楽曲再生部１１６におけるシーケンスデータの再生を終了し（ステップ３１３）、通話処理が行われる（ステップ３１４）。次いで、オンフックがされたか否かが判定され（ステップ３１５）、オンフックされていない場合にはステップ３１４に戻り、通話処理が続行される。ステップ３１５でオンフックされている場合には、着信処理の実行を終了する。
【００３１】
本発明の実施形態に係る携帯端末装置によれば、着信メロディのデータフォーマット上に発光表示部及びバイブレータの少なくとも一方を楽曲の再生に連動させるパターンデータを複数、設けておき、着信時にユーザにより選択された連動パターンで発光表示部及びバイブレータを着信メロディの再生時に連動させるようにしたので、同一の着信を複数の発信者に割当てた場合でも着信の有った発信者を識別することができる。
【００３２】
【発明の効果】
以上に説明したように、本発明によれば、着信メロディのデータフォーマット上に発光表示部及びバイブレータの少なくとも一方を楽曲の再生に連動させるパターンデータを複数、設けておき、着信時にユーザにより選択された連動パターンで発光表示部及びバイブレータを着信メロディの再生時に連動させるようにしたので、同一の着信メロディを複数の発信者に割当てた場合でも着信の有った発信者を識別することができる。
【図面の簡単な説明】
【図１】本発明の実施形態に係る携帯端末装置の電気的構成を示すブロック図。
【図２】本発明の実施形態に係る携帯端末装置において使用される着信メロディ用楽曲データの構成例を示す説明図。
【図３】本発明の実施形態に係る携帯端末装置における電話帳メモリのデータ登録例を示す説明図。
【図４】本発明の実施形態に係る携帯端末装置において、着信メロディの設定時に表示部に表示される連動パターン選択画面の表示例を示す説明図。
【図５】本発明の実施形態に係る携帯端末装置の着信設定処理の内容を示すフローチャート。
【図６】本実施形態に係る携帯端末装置の着信処理の内容を示すフローチャート。
【図７】本実施形態に係る携帯端末装置の着信処理の内容を示すフローチャート。
【符号の説明】
１００…ＣＰＵ（制御手段、登録手段）、１０２…ＲＯＭ、１０４…ＲＡＭ、１０５…電話帳メモリ（記憶手段）、１０６…操作入力部（登録手段）、１０８…バイブレータ、１１０…発光表示部、１１２…無線通信部、１１４…音声ＣＯＤＥＣ、１１６…楽曲再生部（楽曲再生手段）、１１８…表示部（表示手段）、１２０…インターフェース、１２２…マイク、１２４…受話用スピーカ、１２６…着信用スピーカ
【図１】
2004064550.tif 000003
【図２】
2004064550.tif 000004
【図３】
2004064550.tif 000005
【図４】
2004064550.tif 000006
【図５】
2004064550.tif 000007
【図６】
2004064550.tif 000008
【図７】
2004064550.tif 000009